(57)【特許請求の範囲】
【請求項１】
いずれかのダウンリンクサブフレーム内の少なくとも一部を、無線端末への下りユーザデータを送信するための第１のリソースとして決定し、切替サブフレーム内のアップリンクパートの少なくとも一部、またはアップリンクサブフレームの一部を、前記無線端末がサウンディングレファレンス信号を周期的に送信するための第２のリソースとして決定するリソース決定部と、
前記決定した第２のリソースを前記無線端末に通知するリソース通知部と、
前記サウンディングレファレンス信号の送信が停止された後、再送要求を受信したときには、前記無線端末から受信する上りユーザデータに含まれるレファレンス信号に基づいて、前記無線端末との間の伝送路の状態を推定する伝送路状態推定部と、
前記推定した伝送路の状態に基づいて複数のアンテナの指向性を形成して、前記第１のリソースを通じて前記下りユーザデータを送信する送信部とを備えた、無線基地局。
【請求項２】
前記伝送路状態推定部は、前記サウンディングレファレンス信号の送信区間では、受信した最新のサウンディングレファレンス信号に基づいて、前記無線端末との間の伝送路の状態を推定する、請求項１記載の無線基地局。
【請求項３】
前記リソース決定部は、前記再送要求を受信したときには、いずれかのアップリンクサブフレーム内の少なくとも一部を、前記無線端末が、前記レファレンス信号を含む上りユーザデータを送信するための第３のリソースとして決定し、
前記リソース通知部は、前記決定した第３のリソースを前記無線端末に通知する、請求項１記載の無線基地局。
【請求項４】
前記伝送路状態推定部は、前記サウンディングレファレンス信号の送信が停止された後、前記再送要求を受信した場合に、前記受信した再送要求の累計が第１の値未満のときには、最後に受信した前記サウンディングレファレンス信号に基づいて、前記無線端末との間の伝送路の状態を推定し、前記受信した再送要求の累計が前記第１の値以上のときには、前記無線端末から受信する上りユーザデータに含まれるレファレンス信号に基づいて、前記無線端末との間の伝送路の状態を推定する、請求項１記載の無線基地局。
【請求項５】
前記無線端末の移動速度を管理する端末速度管理部を備え、
前記伝送路状態推定部は、前記無線端末の速度が所定値以上の場合には、前記無線端末の速度が前記所定値未満の場合よりも、前記第１の値を小さくして、前記伝送路の状態を推定する、請求項４記載の無線基地局。
【請求項６】
いずれかのダウンリンクサブフレーム内の少なくとも一部を、無線端末への下りユーザデータを送信するための第１のリソースとして決定し、切替サブフレーム内のアップリンクパートの少なくとも一部、またはアップリンクサブフレームの一部を、前記無線端末がサウンディングレファレンス信号を周期的に送信するための第２のリソースとして決定するリソース決定部と、
前記決定した第２のリソースを前記無線端末に通知するリソース通知部と、
前記サウンディングレファレンス信号の送信区間では、受信した最新のサウンディングレファレンス信号に基づいて、前記無線端末との間の伝送路の状態を推定し、
前記サウンディングレファレンス信号の送信が停止された後、再送要求を受信した場合に、前記受信した再送要求の累計が第１の値未満のときには、最後に受信した前記サウンディングレファレンス信号に基づいて、前記無線端末との間の伝送路の状態を推定し、前記受信した再送要求の累計が前記第１の値以上のときには、前記無線端末から受信する上りユーザデータに含まれるレファレンス信号に基づいて、前記無線端末との間の伝送路の状態を推定する伝送路状態推定部と、
前記推定した伝送路の状態に基づいて複数のアンテナの指向性を形成して、前記第１のリソースを通じて前記下りユーザデータを送信する送信部とを備えた、無線基地局。
【請求項７】
前記リソース決定部は、前記再送要求を受信した場合に、前記受信した再送要求の累計が前記第１の値以上のときには、いずれかのアップリンクサブフレーム内の少なくとも一部を、前記無線端末が、前記レファレンス信号を含む上りユーザデータを送信するための第３のリソースとして決定し、
前記リソース通知部は、前記決定した第３のリソースを前記無線端末に通知する、請求項６記載の無線基地局。
【請求項８】
前記無線端末の移動速度を管理する端末速度管理部を備え、
前記伝送路状態推定部は、前記無線端末の速度が所定値以上の場合には、前記無線端末の速度が前記所定値未満の場合よりも、前記第１の値を小さくして、前記伝送路の状態を推定する、請求項６記載の無線基地局。
【請求項９】
前記無線基地局は、ＬＴＥ(Long Term Evolution）方式の通信システムにおける無線基地局であり、
前記アップリンクパートは、ＵｐＰＴＳ（Uplink Pilot Timeslot）である、請求項１〜８のいずれか１項に記載の無線基地局。
【請求項１０】
前記無線基地局は、ＬＴＥ(Long Term Evolution）方式の通信システムにおける無線基地局であり、
前記リソース決定部は、Uplink-downlink configurationが「１」のフレーム構成に従
って、前記第１のリソース、前記第２のリソース、および前記第３のリソースを決定する、請求項３または７記載の無線基地局。
【請求項１１】
いずれかのダウンリンクサブフレーム内の少なくとも一部を、無線端末への下りユーザデータを送信するための第１のリソースとして決定し、切替サブフレーム内のアップリンクパートの少なくとも一部、またはアップリンクサブフレームの一部を、前記無線端末がサウンディングレファレンス信号を周期的に送信するための第２のリソースとして決定するステップと、
前記決定した第２のリソースを前記無線端末に通知するステップと、
前記サウンディングレファレンス信号の送信が停止された後、再送要求を受信したときには、前記無線端末から受信する上りユーザデータに含まれるレファレンス信号に基づいて、前記無線端末との間の伝送路の状態を推定するステップと、
前記推定した伝送路の状態に基づいて複数のアンテナの指向性を形成して、前記第１のリソースを通じて前記下りユーザデータを送信するステップとを備えた、無線通信方法。
【請求項１２】
いずれかのダウンリンクサブフレーム内の少なくとも一部を、無線端末への下りユーザデータを送信するための第１のリソースとして決定し、切替サブフレーム内のアップリンクパートの少なくとも一部、またはアップリンクサブフレームの一部を、前記無線端末がサウンディングレファレンス信号を周期的に送信するための第２のリソースとして決定するステップと、
前記決定した第２のリソースを前記無線端末に通知するステップと、
前記サウンディングレファレンス信号の送信区間では、受信した最新のサウンディングレファレンス信号に基づいて、前記無線端末との間の伝送路の状態を推定するステップと、
前記サウンディングレファレンス信号の送信が停止された後、再送要求を受信した場合に、前記受信した再送要求の累計が第１の値未満のときには、最後に受信した前記サウン
ディングレファレンス信号に基づいて、前記無線端末との間の伝送路の状態を推定するステップと、
前記サウンディングレファレンス信号の送信が停止された後、再送要求を受信した場合に、前記受信した再送要求の累計が前記第１の値以上のときには、前記無線端末から受信する上りユーザデータに含まれるレファレンス信号に基づいて、前記無線端末との間の伝送路の状態を推定するステップと、
前記推定した伝送路の状態に基づいて複数のアンテナの指向性を形成して、前記第１のリソースを通じて前記下りユーザデータを送信するステップとを備えた、無線通信方法。
【請求項１３】
いずれかのダウンリンクサブフレーム内の少なくとも一部が、下りユーザデータを受信する第１のリソースとして、切替サブフレーム内のアップリンクパートの少なくとも一部、またはアップリンクサブフレームの一部が、サウンディングレファレンス信号を周期的に送信する第２のリソースとして無線基地局に割り当てられる無線端末であって、
前記第２のリソースを前記無線基地局から通知されると、前記第２のリソースで前記サウンディングレファレンス信号を送信し、
前記サウンディングレファレンス信号の送信を停止した後、再送要求を送信したときには、送信した上りユーザデータに含まれるレファレンス信号に基づく伝送路の状態に応じて形成された複数のアンテナの指向性で前記無線基地局から前記第１のリソースで送信された、前記下りユーザデータを受信する、無線端末。
【請求項１４】
いずれかのダウンリンクサブフレーム内の少なくとも一部が、下りユーザデータを受信する第１のリソースとして、切替サブフレーム内のアップリンクパートの少なくとも一部、またはアップリンクサブフレームの一部が、サウンディングレファレンス信号を周期的に送信する第２のリソースとして無線基地局に割り当てられる無線端末の無線通信方法であって、
前記第２のリソースを前記無線基地局から通知されるステップと、
前記第２のリソースで前記サウンディングレファレンス信号を送信するステップと、
前記サウンディングレファレンス信号の送信を停止した後、再送要求を送信したときには、送信した上りユーザデータに含まれるレファレンス信号に基づく伝送路の状態に応じて形成された複数のアンテナの指向性で前記無線基地局から前記第１のリソースで送信された、前記下りユーザデータを受信するステップとを備えた、無線通信方法。
【発明の詳細な説明】
【技術分野】
【０００１】
本発明は、無線基地局および無線通信方法に関し、特に、サウンディング信号に基づいて伝送路状態を推定する無線基地局および無線通信方法に関する。
【背景技術】
【０００２】
３ＧＰＰ（3rd Generation Partnership Project）にて仕様が策定されているＬＴＥ方式などの無線通信システムでは、無線端末がを無線基地局へレファレンス信号を送信する。無線基地局は、受信したレファレンス信号に基づいて、伝送路の状態を推定し、下りユーザデータのアンテナの指向性を形成する。
【０００３】
レファレンス信号を送信する方法には、無線端末が切替サブフレームのＵｐＰＴＳ（アップリンクパート）の一部、またはアップリンクサブフレームの一部（たとえば、最後のシンボル）でＳＲＳ（Sounding Reference Signal:サウンディングレファレンス信号）を送信する方法がある（たとえば、特許文献１を参照）。
【０００４】
この方法は、上りユーザデータの送信のための無線リソースとは別の無線リソースを用いてＳＲＳを送信するので、上りユーザデータの送信のための無線リソースの浪費を回避できる。
【先行技術文献】
【特許文献】
【０００５】
【特許文献１】特開２０１０−２８１９２号公報
【発明の概要】
【発明が解決しようとする課題】
【０００６】
ところで、無線端末からＳＲＳを送信させるためには、無線基地局は、無線端末に対して送信命令を送信し、無線端末は、これに対して応答を返信しなければならない。また、無線端末からのＳＲＳの送信を終了させるためには、無線基地局は、無線端末に対して終了命令を送信し、無線端末は、これに対して応答を返信しなければならない。
【０００７】
ＳＲＳの送信を終了した後に、無線端末において、受信した下りユーザデータのエラーが検出されて、無線端末が再送を要求した場合には、無線基地局は、ＳＲＳを受信していないので、現在の伝送路の状態を推定することができない。このような場合、無線基地局は、無線端末に対してＳＲＳの送信命令を送信し、無線端末は、これに対して応答を返信することによって、無線端末からＳＲＳを再度送信させることも可能ではあるが、これでは、下りユーザデータを再送するまでに長時間を要する。
【０００８】
それゆえに、本発明の目的は、ＳＲＳの送信を終了後、無線端末において再送要求が発生した場合に、迅速に、下りユーザデータの指向性を形成して、再送することができる無線基地局、無線端末および無線通信方法を提供することである。
【課題を解決するための手段】
【０００９】
本発明は、いずれかのダウンリンクサブフレーム内の少なくとも一部を、無線端末への下りユーザデータを送信するための第１のリソースとして決定し、切替サブフレーム内のアップリンクパートの少なくとも一部、またはアップリンクサブフレームの一部を、無線端末がサウンディングレファレンス信号を周期的に送信するための第２のリソースとして決定するリソース決定部と、決定した第２のリソースを無線端末に通知するリソース通知部と、サウンディングレファレンス信号の送信が停止された後、再送要求を受信したときには、無線端末から受信する上りユーザデータに含まれるレファレンス信号に基づいて、無線端末との間の伝送路の状態を推定する伝送路状態推定部と、推定した伝送路の状態に基づいて複数のアンテナの指向性を形成して、第１のリソースを通じて下りユーザデータを送信する送信部とを備える。
【００１０】
好ましくは、伝送路状態推定部は、サウンディングレファレンス信号の送信区間では、受信した最新のサウンディングレファレンス信号に基づいて、無線端末との間の伝送路の状態を推定する。
【００１１】
好ましくは、リソース決定部は、再送要求を受信したときには、いずれかのアップリンクサブフレーム内の少なくとも一部を、無線端末が、レファレンス信号を含む上りユーザデータを送信するための第３のリソースとして決定し、リソース通知部は、決定した第３のリソースを無線端末に通知する。
【００１２】
好ましくは、伝送路状態推定部は、サウンディングレファレンス信号の送信が停止された後、再送要求を受信した場合に、受信した再送要求の累計が第１の値未満のときには、最後に受信したサウンディングレファレンス信号に基づいて、無線端末との間の伝送路の状態を推定し、受信した再送要求の累計が第１の値以上のときには、無線端末から受信する上りユーザデータに含まれるレファレンス信号に基づいて、無線端末との間の伝送路の状態を推定する。
【００１３】
好ましくは、無線端末の移動速度を管理する端末速度管理部を備え、伝送路状態推定部は、無線端末の速度が所定値以上の場合には、無線端末の速度が所定値未満の場合よりも、第１の値を小さくして、伝送路の状態を推定する。
【００１４】
本発明は、いずれかのダウンリンクサブフレーム内の少なくとも一部を、無線端末への下りユーザデータを送信するための第１のリソースとして決定し、切替サブフレーム内のアップリンクパートの少なくとも一部、またはアップリンクサブフレームの一部を、無線端末がサウンディングレファレンス信号を周期的に送信するための第２のリソースとして決定するリソース決定部と、決定した第２のリソースを無線端末に通知するリソース通知部と、サウンディングレファレンス信号の送信区間では、受信した最新のサウンディングレファレンス信号に基づいて、無線端末との間の伝送路の状態を推定し、サウンディングレファレンス信号の送信が停止された後、再送要求を受信した場合に、受信した再送要求の累計が第１の値未満のときには、最後に受信したサウンディングレファレンス信号に基づいて、無線端末との間の伝送路の状態を推定し、受信した再送要求の累計が第１の値以上のときには、無線端末から受信する上りユーザデータに含まれるレファレンス信号に基づいて、無線端末との間の伝送路の状態を推定する伝送路状態推定部と、推定した伝送路の状態に基づいて複数のアンテナの指向性を形成して、第１のリソースを通じて下りユーザデータを送信する送信部とを備える。
【００１５】
好ましくは、リソース決定部は、再送要求を受信した場合に、受信した再送要求の累計が第１の値以上のときには、いずれかのアップリンクサブフレーム内の少なくとも一部を、無線端末が、レファレンス信号を含む上りユーザデータを送信するための第３のリソースとして決定し、リソース通知部は、決定した第３のリソースを無線端末に通知する。
【００１６】
好ましくは、無線端末の移動速度を管理する端末速度管理部を備え、伝送路状態推定部は、無線端末の速度が所定値以上の場合には、無線端末の速度が所定値未満の場合よりも、第１の値を小さくして、伝送路の状態を推定する。
【００１７】
好ましくは、無線基地局は、ＬＴＥ(Long Term Evolution）方式の通信システムにおける無線基地局であり、アップリンクパートは、ＵｐＰＴＳ（Uplink Pilot Timeslot）である。
【００１８】
好ましくは、無線基地局は、ＬＴＥ(Long Term Evolution）方式の通信システムにおける無線基地局であり、リソース決定部は、Uplink-downlink configurationが「１」のフレーム構成に従って、第１のリソース、第２のリソース、および第３のリソースを決定する。
【００１９】
本発明は、いずれかのダウンリンクサブフレーム内の少なくとも一部を、無線端末への下りユーザデータを送信するための第１のリソースとして決定し、切替サブフレーム内のアップリンクパートの少なくとも一部、またはアップリンクサブフレームの一部を、無線端末がサウンディングレファレンス信号を周期的に送信するための第２のリソースとして決定するステップと、決定した第２のリソースを無線端末に通知するステップと、サウンディングレファレンス信号の送信が停止された後、再送要求を受信したときには、無線端末から受信する上りユーザデータに含まれるレファレンス信号に基づいて、無線端末との間の伝送路の状態を推定するステップと、推定した伝送路の状態に基づいて複数のアンテナの指向性を形成して、第１のリソースを通じて下りユーザデータを送信するステップとを備える。
【００２０】
本発明は、いずれかのダウンリンクサブフレーム内の少なくとも一部を、無線端末への下りユーザデータを送信するための第１のリソースとして決定し、切替サブフレーム内のアップリンクパートの少なくとも一部、またはアップリンクサブフレームの一部を、無線端末がサウンディングレファレンス信号を周期的に送信するための第２のリソースとして決定するステップと、決定した第２のリソースを無線端末に通知するステップと、サウンディングレファレンス信号の送信区間では、受信した最新のサウンディングレファレンス信号に基づいて、無線端末との間の伝送路の状態を推定するステップと、サウンディングレファレンス信号の送信が停止された後、再送要求を受信した場合に、受信した再送要求の累計が第１の値未満のときには、最後に受信したサウンディングレファレンス信号に基づいて、無線端末との間の伝送路の状態を推定するステップと、サウンディングレファレンス信号の送信が停止された後、再送要求を受信した場合に、受信した再送要求の累計が第１の値以上のときには、無線端末から受信する上りユーザデータに含まれるレファレンス信号に基づいて、無線端末との間の伝送路の状態を推定するステップと、推定した伝送路の状態に基づいて複数のアンテナの指向性を形成して、第１のリソースを通じて下りユーザデータを送信するステップとを備える。
【発明の効果】
【００２１】
本発明によれば、ＳＲＳの送信を終了後、無線端末において再送要求が発生した場合に、迅速に、下りユーザデータの指向性を形成して、再送することができる。
【図面の簡単な説明】
【００２２】
【図１】本発明の実施形態の無線通信システムの構成を表わす図である。
【図２】本発明の第１の実施形態の無線基地局の構成を表わす図である。
【図３】本発明の実施形態の無線端末の構成を表わす図である。
【図４】本発明の実施形態の無線通信システムで伝送されるフレームの構成を表わす図である。
【図５】本発明の第１の実施形態の処理タイミングを説明するための図である。
【図６】本発明の第１の実施形態の無線通信システムの動作手順を表わすフローチャートである。
【図７】本発明の第１の実施形態の変形例の処理タイミングを説明するための図である。
【図８】本発明の第２の実施形態の無線基地局の構成を表わす図である。
【図９】本発明の第２の実施形態の処理タイミングを説明するための図である。
【図１０】本発明の第２の実施形態の無線通信システムの動作手順を表わすフローチャートである。
【図１１】本発明の第２の実施形態の無線通信システムの動作手順を表わすフローチャートである。
【図１２】本発明の第２の実施形態の変形例の処理タイミングを説明するための図である。
【図１３】本発明の第３の実施形態の無線基地局の構成を表わす図である。
【図１４】本発明の第３の実施形態の無線通信システムの動作手順を表わすフローチャートである。
【図１５】本発明の第３の実施形態の無線通信システムの動作手順を表わすフローチャートである。
【発明を実施するための形態】
【００２３】
以下、本発明の実施形態について図面を参照して説明する。
［第１の実施形態］
（無線通信システムの構成）
図１は、本発明の実施形態の無線通信システムの構成を表わす図である。
【００２４】
図１を参照して、この無線通信システムは、ＬＴＥ(Long Term Evolution）方式の通信システムであって、複数の無線基地局Ａ，Ｂ，Ｃが、それぞれ図中の円で示される自局のゾーン内の無線端末と通信する。これらの複数の無線基地局Ａ，Ｂ，Ｃは同一のタイミングで上りの信号を受信し、下りの信号を送信する。
【００２５】
（無線基地局の構成）
図２は、本発明の実施形態の無線基地局の構成を表わす図である。
【００２６】
図２を参照して、この無線基地局１は、複数のアンテナ２，３と、送信部４と、受信部５と、下りユーザデータ管理部６と、上りユーザデータ管理部１０と、ＳＲＳ管理部１３と、リソース決定部７と、リソース通知部８と、伝送路状態推定部９と、ネットワーク通信部１１とを備える。
【００２７】
送信部４は、複数のアンテナ２，３を通じて、下りユーザデータ、およびＲＲＣ（Radio Resource Control：無線リソース管理）接続再設定メッセージ、上りユーザデータ割当情報などの制御信号を無線端末へ送信する。送信部４は、伝送路状態推定部９で推定したサブキャリアごとの伝送路の状態に基づいて、複数のアンテナ２，３の指向性を形成して、下りユーザデータを送信する。たとえば、送信部４は、伝送路の状態に応じて、下りユーザデータをアダプティブアレイ送信処理（重み制御）して、アンテナ２，３の指向性を形成する。ここで、アンテナの指向性を形成することには、所望の通信相手にビーム（信号を強く受信／送信する部分）を向けるビームフォーミングと、所望しない信号源の方向または干渉を与えたくない方向にヌル（信号をほとんど受信／送信しない部分）を向けるヌルステアリングとを含む。
【００２８】
受信部５は、複数のアンテナ２，３を通じて、無線端末から上りユーザデータ、およびＳＲＳ、ＲＲＣ接続再設定完了メッセージなどを含む制御信号を受信する。
【００２９】
下りユーザデータ管理部６は、ネットワーク通信部１１を通じて、図示しない制御センターから受信した下りユーザデータを保持する。
【００３０】
上りユーザデータ管理部１０は、無線端末から受信した上りユーザデータをネットワーク通信部１１を通じて、図示しない制御センターへ送信する。また、上りユーザデータ管理部１０は、受信した上りユーザデータに含まれるＤＲＳ（Demodulation Reference Signal：復調レファレンス信号）を伝送路状態推定部９に出力する。
【００３１】
ＳＲＳ管理部１３は、無線端末から受信したＳＲＳを伝送路状態推定部９に出力する。
リソース決定部７は、下りユーザデータ管理部６がネットワーク通信部１１から下りユーザデータを受けると、いずれかのダウンリンクサブフレーム内の少なくとも一部を、無線端末への下りユーザデータを送信する第１のリソースとして決定する。また、リソース決定部７は、切替サブフレーム内のＵｐＰＴＳ（アップリンクパート）の一部を無線端末がＳＲＳを周期的に送信する第２のリソースとして決定する。また、リソース決定部７は、無線端末からＨＡＲＱ（Hybrid Automatic Repeat Request）における再送要求信号を受信したときに、いずれかのアップリンクサブフレームＵＬ内の少なくとも一部を、無線端末がＤＲＳを含む上りユーザデータを送信するための第３のリソースとして決定する。
【００３２】
リソース通知部８は、リソース決定部７で決定した第３のリソースを表わす上りユーザデータ割当情報を無線端末に送信する。リソース通知部８は、リソース決定部７で決定した第２のリソースを表わすＲＲＣ接続再設定メッセージを無線端末へ送信する。リソース通知部８は、無線端末からＲＲＣ接続再設定完了メッセージを受信する。
【００３３】
伝送路状態推定部９は、ＳＲＳまたはＤＲＳに基づいての伝送路状態を推定する。伝送路状態推定部９は、ＳＲＳの送信区間では、受信した最新のＳＲＳに基づいて、無線端末との間の伝送路の状態を推定する。伝送路状態推定部９は、ＳＲＳの送信が停止された後、再送要求信号を受信したときには、無線端末から受信する上りユーザデータに含まれるＤＲＳに基づいて、無線端末との間の伝送路の状態を推定する。
【００３４】
ネットワーク通信部１１は、制御センタからネットワーク１２を通じて下りユーザデータを受信する。ネットワーク通信部１１は、制御センターへネットワーク１２を通じて上りユーザデータを送信する。
【００３５】
(無線端末の構成）
図３は、本発明の実施形態の無線端末の構成を表わす図である。
【００３６】
図３を参照して、この無線端末５１は、複数のアンテナ５２，５３と、送信部５４と、受信部５５と、ユーザデータ管理部５７と、サウンディング信号管理部５８とを備える。
【００３７】
受信部５５は、複数のアンテナ５２，５３を通じて、下りユーザデータ、およびＲＲＣ接続再設定メッセージなどの制御信号を受信する。
【００３８】
送信部５４は、複数のアンテナ５２，５３を通じて、無線基地局１へ上りユーザデータ、およびＳＲＳ、ＲＲＣ接続再設定完了メッセージなどの制御信号を送信する。
【００３９】
ユーザデータ管理部５６は、無線基地局１から受信した下りユーザデータおよび無線基地局１へ送信する上りユーザデータを保持し、管理する。
【００４０】
サウンディング信号管理部５８は、ＲＲＣ接続再設定メッセージを受信すると、ＲＲＣ接続再設定メッセージに基づいて、ＳＲＳを送信する無線リソースを割当てる。その後、サウンディング信号管理部５８は、ＲＲＣ接続再設定完了メッセージを送信する。サウンディング信号管理部５８は、割当てた無線リソースによってＳＲＳを送信する。
【００４１】
（フレームの構成）
図４は、本発明の実施形態の無線通信システムで伝送されるフレームの構成を表わす図である。
【００４２】
図４を参照して、このフレームの構成は、ＬＴＥにおける（Uplink-downlink configuration）が「１」のときの構成である。
【００４３】
図４に示すように、１フレームは、１０ｍｓの時間で伝送される。１フレームは、ハーフフレームに分割される。各ハーフフレームは、時間順に、ダウンリンクサブフレームＤＬ、切替サブフレームＳ、２つの連続するアップリンクサブフレームＵＬ、ダウンリンクサブフレームＤＬで構成される。
【００４４】
ここで、切替サブフレームＳは、ＤｗＰＴＳ（Downlink Pilot Timeslot）と、ＧＰ（Guard Period：ガード期間）と、ＵｐＰＴＳ（Uplink Pilot Timeslot：アップリンクパートとも呼ぶ）で構成される。ＵｐＰＴＳは、２シンボルで構成される。
【００４５】
（第１の実施形態の処理タイミング）
図５は、第１の実施形態の処理タイミングを説明するための図である。
【００４６】
図５を参照して、無線基地局１は、下りユーザデータの送信先の無線端末５１において、ＳＲＳを周期的に送信する第２のリソースを決定する。無線基地局１は、決定した第２のリソースを表わすＲＲＣ接続再設定（送信開始を表わす）メッセージを送信する（（１）に示す）。無線端末５１は、ＲＲＣ接続再設定（送信開始を表わす）完了メッセージを送信する（（２）に示す）。これより、ＳＲＳ送信区間が開始される。
【００４７】
無線端末５１は、通知された第２のリソースを通じてＳＲＳを送信する（（３）に示す）。無線基地局１は、受信したＳＲＳに基づいて、無線端末５１との間の伝送路の状態を推定する。
【００４８】
無線基地局１は、ダウンリンクサブフレーム内の少なくとも一部を、無線端末への下りユーザデータを送信するための第１のリソースとして決定する。無線基地局１は、推定した伝送路の状態に基づいて複数のアンテナの指向性を形成して、第１のリソースを通じて下りユーザデータ、およびこの第１のリソースに下りユーザデータが含まれることを表わす下りユーザ割当情報を送信する（（４）に示す）。この無線端末５１によるＳＲＳの送信（３）と、無線基地局１によるＳＲＳに基づく下りユーザデータの送信（４）が繰り返される。
【００４９】
無線基地局１は、ＲＲＣ接続再設定（送信終了を表わす）メッセージを送信する（（５）に示す）。無線端末５１は、ＲＲＣ接続再設定（送信終了を表わす）完了メッセージを送信する（（６）に示す）。これより、ＳＲＳ送信区間が終了する。
【００５０】
ＳＲＳ送信区間の終了後に、無線端末５１は、受信した下りユーザデータにエラーを検出した場合に、再送要求信号を送信する（（７）に示す）。無線基地局１は、無線端末５１がＤＲＳを含む上りユーザデータを送信する第３のリソースを決定し、決定した第３のリソースを表わす上りユーザデータ割当情報を送信する（（８）に示す）。無線端末５１は、通知された第３のリソースによって、ＤＲＳを含む上りユーザデータを送信する（（９）に示す）。無線基地局１は、受信したＤＲＳに基づいて、無線端末５１との間の伝送路の状態を推定する。
【００５１】
無線基地局１は、ダウンリンクサブフレーム内の少なくとも一部を、無線端末への下りユーザデータを送信するための第１のリソースとして決定する。無線基地局１は、推定した伝送路の状態に基づいて、複数のアンテナの指向性を形成して、第１のリソースを通じて再送要求された下りユーザデータ、およびこの第１のリソースに下りユーザデータが含まれることを表わす下りユーザ割当情報を送信する（（１０）に示す）。無線端末５１が受信した下りユーザデータにエラーが検出されなくなるまで、（７）〜（１０）の処理が繰り返される。
【００５２】
（動作手順）
図６は、本発明の第１の実施形態の無線通信システムの動作手順を表わすフローチャートである。
【００５３】
図６を参照して、まず、無線基地局１のリソース決定部７は、切替サブフレームＳのＵｐＰＴＳ内のいずれかのリソースを、無線端末５１がＳＲＳを周期的に送信する第２のリソースとして決定する（ステップＳ１０１）。
【００５４】
次に、無線基地局１のリソース通知部８は、決定した第２のリソースを表わすＲＲＣ接続再設定（送信開始を表わす）メッセージを送信する（ステップＳ１０２）。
【００５５】
次に、無線端末５１のサウンディング信号管理部５８は、ＲＲＣ接続再設定（送信開始を表わす）メッセージを受信する（ステップＳ１０３）。
【００５６】
次に、無線端末５１のサウンディング信号管理部５８は、ＲＲＣ接続再設定（送信開始を表わす）完了メッセージを送信する（ステップＳ１０４）。
【００５７】
次に、無線基地局１のリソース通知部８は、ＲＲＣ接続再設定（送信開始を表わす）完了メッセージを受信する（ステップＳ１０５）。
【００５８】
次に、無線端末５１のサウンディング信号管理部５８は、通知された第２のリソースによってＳＲＳを送信する（ステップＳ１０６）。
【００５９】
次に、無線基地局１のＳＲＳ管理部１３は、ＳＲＳを受信する（ステップＳ１０７）。
次に、無線基地局１の伝送路状態推定部９は、ステップＳ１０７で受信したＳＲＳに基づいて、無線端末５１との間の伝送路の状態を推定する。無線基地局１のリソース決定部７は、いずれかのダウンリンクサブフレームＤＬ内の少なくとも一部を無線端末５１への下りユーザデータを送信するための第１のリソースとして決定する。無線基地局１の送信部４は、推定した伝送路の状態に基づいて、複数のアンテナ２，３の指向性を形成して、第１のリソースを通じて、下りユーザデータ、およびこの第１のリソースに下りユーザデータが含まれることを表わす下りユーザ割当情報を送信する（ステップＳ１０８）。
【００６０】
次に、無線端末５１の受信部５５は、複数のアンテナ５２，５３を通じて、下りユーザデータを受信する（ステップＳ１０９）。
【００６１】
以下、ステップＳ１０６〜Ｓ１０９の処理が繰り返される。
次に、無線基地局１のリソース通知部８は、ＲＲＣ接続再設定（送信終了を表わす）メッセージを送信する（ステップＳ１１０）。
【００６２】
次に、無線端末５１のサウンディング信号管理部５８は、ＲＲＣ接続再設定（送信終了を表わす）メッセージを受信する（ステップＳ１１１）。
【００６３】
次に、無線端末５１のサウンディング信号管理部５８は、ＲＲＣ接続再設定（送信終了を表わす）完了メッセージを送信する（ステップＳ１１２）。
【００６４】
次に、無線基地局１のリソース通知部８は、ＲＲＣ接続再設定（送信終了を表わす）完了メッセージを受信する（ステップＳ１１３）。
【００６５】
無線端末５１のユーザデータ管理部５７は、受信した下りユーザデータにエラーが検出された場合には（ステップＳ１１４でＹＥＳ）、ＨＡＲＱに基づいて、再送要求信号（NACK： Negative ACKnowledgments、否定応答)を送信する（ステップＳ１１５）。
【００６６】
次に、無線基地局１のリソース決定部７は、再送要求信号を受信した場合には（ステップＳ１１６でＹＥＳ）、いずれかのアップリンクサブフレームＵＬ内の少なくとも一部を、無線端末５１がＤＲＳを含む上りユーザデータを送信するための第３のリソースとして決定する。無線基地局１のリソース通知部８は、決定した第３のリソースを表わす上りユーザデータ割当情報を送信する（ステップＳ１１７）。
【００６７】
次に、無線端末５１のユーザデータ管理部５７は、第３のリソースを表わす上りユーザデータ割当情報を受信する（ステップＳ１１８）。
【００６８】
次に、無線端末５１のユーザデータ管理部５７は、ステップＳ１１８で通知された第３のリソースによって、ＤＲＳを含む上りユーザデータを送信する（ステップＳ１１９）。
【００６９】
次に、無線基地局１の上りユーザデータ管理部１０は、ＤＲＳを含む上りユーザデータを受信する（ステップＳ１２０）。
【００７０】
次に、無線基地局１の伝送路状態推定部９は、ステップＳ１２０で受信したＤＲＳに基づいて、無線端末５１との間の伝送路の状態を推定する。無線基地局１のリソース決定部７は、いずれかのダウンリンクサブフレームＤＬ内の少なくとも一部を無線端末５１への下りユーザデータを送信するための第１のリソースとして決定する。無線基地局１の送信部４は、推定した伝送路の状態に基づいて、複数のアンテナ２，３の指向性を形成して、第１のリソースを通じて、再送要求された下りユーザデータ、およびこの第１のリソースに下りユーザデータが含まれることを表わす下りユーザ割当情報を送信する（ステップＳ１２１）。
【００７１】
次に、無線端末５１の受信部５５は、複数のアンテナ５２，５３を通じて、下りユーザデータを受信して、ステップＳ１１４へ戻る（ステップＳ１２２）。
【００７２】
以上のように、本発明の第１の実施形態の無線通信システムによれば、ＳＲＳの送信を終了後、無線端末において再送要求が発生した場合に、無線基地局は、上りユーザデータに含まれるＤＲＳを用いることによって、迅速に伝送路の状態を推定することができ、指向性を有する下りユーザデータを迅速に再送することができる。
【００７３】
［第１の実施形態の変形例］
（第１の実施形態の変形例の処理タイミング）
図７は、第１の実施形態の変形例の処理タイミングを説明するための図である。
【００７４】
図７で示される処理が、図５と相違する点は、以下である。
図５では、無線基地局１は、下りユーザデータを送信する前ごとに、第１のリソースを決定したが、図７では、無線基地局１は、下りユーザデータを周期的に同一の第１のリソースを用いて送信することとし、無線基地局１は、最初に一度だけこの第１のリソースを決定して、無線端末５１へ通知する。
【００７５】
すなわち、図７に示すように、無線基地局１は、所定のダウンリンクサブフレームＤＬ以降において下りユーザデータを周期的に送信する第１のリソースと、下りユーザデータの送信先の無線端末５１において、ＳＲＳを周期的に送信する第２のリソースとを決定する（（１）に示す）。そして、無線基地局１は、決定した第１のリソースを表わす下りユーザデータ割当情報を送信する（（２）に示す）。
【００７６】
図７におけるその他の手順は、図５のものと同じである。
［第２の実施形態］
図８は、本発明の第２の実施形態の無線基地局の構成を表わす図である。
【００７７】
図８の無線基地局２１の構成が、図２の無線基地局１の構成と相違する点は、リソース決定部２７と、伝送路状態推定部２９である。
【００７８】
リソース決定部２７は、下りユーザデータ管理部６がネットワーク通信部１１から下りユーザデータを受けると、いずれかのダウンリンクサブフレーム内の少なくとも一部を、無線端末への下りユーザデータを送信する第１のリソースとして決定する。また、リソース決定部２７は、切替サブフレーム内のＵｐＰＴＳ（アップリンクパート）の一部を無線端末がＳＲＳを周期的に送信する第２のリソースとして決定する。リソース決定部２７は、無線端末から再送要求信号を受信したときに、受信した再送要求信号の累計が閾値ＴＨ以上のときには、いずれかのアップリンクサブフレームＵＬ内の少なくとも一部を、無線端末がＤＲＳを含む上りユーザデータを送信するための第３のリソースとして決定する。
【００７９】
伝送路状態推定部２９は、ＳＲＳまたはＤＲＳに基づいての伝送路状態を推定する。伝送路状態推定部２９は、ＳＲＳの送信区間では、受信した最新のＳＲＳに基づいて、無線端末との間の伝送路の状態を推定する。伝送路状態推定部２９は、ＳＲＳの送信が停止された後、再送要求信号を受信したときには、受信した再送要求信号の累計が閾値ＴＨ未満のときには、最後に受信したＳＲＳに基づいて、無線端末との間の伝送路の状態を推定し、受信した再送要求信号の累計が閾値ＴＨ以上のときには、無線端末から受信する上りユーザデータに含まれるＤＲＳに基づいて、無線端末との間の伝送路の状態を推定する。
【００８０】
（第２の実施形態の処理タイミング）
図９は、第２の実施形態の処理タイミングを説明するための図である。
【００８１】
図９を参照して、無線基地局２１は、下りユーザデータの送信先の無線端末５１において、ＳＲＳを周期的に送信する第２のリソースを決定する。無線基地局２１は、決定した第２のリソースを表わすＲＲＣ接続再設定（送信開始を表わす）メッセージを送信する（（１）に示す）。無線端末５１は、ＲＲＣ接続再設定（送信開始を表わす）完了メッセージを送信する（（２）に示す）。これより、ＳＲＳ送信区間が開始される。
【００８２】
無線端末５１は、ＳＲＳを通知された第２のリソースを通じて送信する（（３）に示す）。無線基地局２１は、受信したＳＲＳに基づいて、無線端末５１との間の伝送路の状態を推定する。
【００８３】
無線基地局２１は、ダウンリンクサブフレーム内の少なくとも一部を、無線端末への下りユーザデータを送信するための第１のリソースとして決定する。無線基地局２１は、推定した伝送路の状態に基づいて、複数のアンテナの指向性を形成して、下りユーザデータ、およびこの第１のリソースに下りユーザデータが含まれることを表わす下りユーザ割当情報を送信する（（４）に示す）。この無線端末５１によるＳＲＳの送信（３）と、無線基地局２１によるＳＲＳに基づく下りユーザデータの送信（４）が繰り返される。
【００８４】
無線基地局２１は、ＲＲＣ接続再設定（送信終了を表わす）メッセージを送信する（（５）に示す）。無線端末５１は、ＲＲＣ接続再設定（送信終了を表わす）完了メッセージを送信する（（６）に示す）。これより、ＳＲＳ送信区間が終了する。
【００８５】
ＳＲＳ送信区間の終了後に、無線端末５１は、受信した下りユーザデータにエラーを検出した場合に、再送要求信号を送信する（（７）に示す）。
【００８６】
無線基地局２１は、再送要求信号を受信した回数が閾値ＴＨ（ここでは、ＴＨ＝３とする）未満の場合には、最後に受信したＳＲＳに基づいて、無線端末５１との間の伝送路の状態を推定する。無線基地局２１は、ダウンリンクサブフレーム内の少なくとも一部を、無線端末への下りユーザデータを送信するための第１のリソースとして決定する。無線基地局２１は、推定した伝送路の状態に基づいて複数のアンテナの指向性を形成して、第１のリソースを通じて、下りユーザデータ、およびこの第１のリソースに下りユーザデータが含まれることを表わす下りユーザ割当情報を送信する（（８）に示す）。
【００８７】
無線基地局２１は、再送要求信号を受信した回数が閾値ＴＨ（ここでは、ＴＨ＝３とする）以上の場合には、無線端末５１がＤＲＳを含む上りユーザデータを送信する第３のリソースを決定し、決定した第３のリソースを表わす上りユーザデータ割当情報を送信する（（９）に示す）。
【００８８】
無線端末５１は、通知された第３のリソースによって、ＤＲＳを含む上りユーザデータを送信する（（１０）に示す）。無線基地局２１は、受信したＤＲＳに基づいて、無線端末５１との間の伝送路の状態を推定する。
【００８９】
無線基地局２１は、ダウンリンクサブフレーム内の少なくとも一部を、無線端末５１への下りユーザデータを送信するための第１のリソースとして決定する。無線基地局２１は、推定した伝送路の状態に基づいて、複数のアンテナの指向性を形成して、第１のリソースを通じて再送要求された下りユーザデータ、およびこの第１のリソースに下りユーザデータが含まれることを表わす下りユーザ割当情報を送信する（（１１）に示す）。
【００９０】
無線端末５１が受信した下りユーザデータにエラーが検出されなくなるまで、（７）、（９）〜（１１）の処理が繰り返される。
【００９１】
（動作手順）
図１０および図１１は、本発明の第２の実施形態の無線通信システムの動作手順を表わすフローチャートである。
【００９２】
図１０および図１１を参照して、まず、無線基地局２１のリソース決定部２７は、切替サブフレームＳのＵｐＰＴＳ内のいずれかのリソースを、無線端末５１がＳＲＳを周期的に送信する第２のリソースとして決定する（ステップＳ１０１）。
【００９３】
次に、無線基地局２１のリソース通知部８は、決定した第２のリソースを表わすＲＲＣ接続再設定（送信開始を表わす）メッセージを送信する（ステップＳ１０２）。
【００９４】
次に、無線端末５１のサウンディング信号管理部５８は、ＲＲＣ接続再設定（送信開始を表わす）メッセージを受信する（ステップＳ１０３）。
【００９５】
次に、無線端末５１のサウンディング信号管理部５８は、ＲＲＣ接続再設定（送信開始を表わす）完了メッセージを送信する（ステップＳ１０４）。
【００９６】
次に、無線基地局２１のリソース通知部８は、ＲＲＣ接続再設定（送信開始を表わす）完了メッセージを受信する（ステップＳ１０５）。
【００９７】
次に、無線端末５１のサウンディング信号管理部５８は、通知された第２のリソースによってＳＲＳを送信する（ステップＳ１０６）。
【００９８】
次に、無線基地局２１のＳＲＳ管理部１３は、ＳＲＳを受信する（ステップＳ１０７）。
【００９９】
次に、無線基地局２１の伝送路状態推定部２９は、ステップＳ１０７で受信したＳＲＳに基づいて、無線端末５１との間の伝送路の状態を推定する。無線基地局２１のリソース決定部２７は、いずれかのダウンリンクサブフレームＤＬ内の少なくとも一部を無線端末５１への下りユーザデータを送信するための第１のリソースとして決定する。無線基地局２１の送信部４は、推定した伝送路の状態に基づいて、複数のアンテナ２，３の指向性を形成して、第１のリソースを通じて、下りユーザデータ、およびこの第１のリソースに下りユーザデータが含まれることを表わす下りユーザ割当情報を送信する（ステップＳ１０８）。
【０１００】
次に、無線端末５１の受信部５５は、複数のアンテナ５２，５３を通じて、下りユーザデータを受信する（ステップＳ１０９）。
【０１０１】
以下、ステップＳ１０６〜Ｓ１０９の処理が繰り返される。
次に、無線基地局２１のリソース通知部８は、ＲＲＣ接続再設定（送信終了を表わす）メッセージを送信する（ステップＳ１１０）。
【０１０２】
次に、無線端末５１のサウンディング信号管理部５８は、ＲＲＣ接続再設定（送信終了を表わす）メッセージを受信する（ステップＳ１１１）。
【０１０３】
次に、無線端末５１のサウンディング信号管理部５８は、ＲＲＣ接続再設定（送信終了を表わす）完了メッセージを送信する（ステップＳ１１２）。
【０１０４】
次に、無線基地局２１のリソース通知部８は、ＲＲＣ接続再設定（送信終了を表わす）完了メッセージを受信する（ステップＳ１１３）。
【０１０５】
無線端末５１のユーザデータ管理部５７は、受信した下りユーザデータにエラーが検出された場合には（ステップＳ１１４でＹＥＳ）、ＨＡＲＱに基づいて、再送要求信号（NACK： Negative ACKnowledgments、否定応答)を送信する（ステップＳ１１５）。
【０１０６】
次に、無線基地局２１の伝送路状態推定部２９は、再送要求信号を受信した場合において（ステップＳ１１６でＹＥＳ）、再送要求信号の受信回数の累計が閾値ＴＨ未満のときには（ステップＳ２２０でＮＯ）、最後に受信したＳＲＳに基づいて、無線端末５１との間の伝送路の状態を推定する。無線基地局２１のリソース決定部２７は、いずれかのダウンリンクサブフレームＤＬ内の少なくとも一部を無線端末５１への下りユーザデータを送信するための第１のリソースとして決定する。無線基地局２１の送信部４は、推定した伝送路の状態に基づいて、複数のアンテナ２，３の指向性を形成して、第１のリソースを通じて、再送要求された下りユーザデータ、およびこの第１のリソースに下りユーザデータが含まれることを表わす下りユーザ割当情報を送信する（ステップＳ２２１）。
【０１０７】
一方、無線基地局２１のリソース決定部２７は、再送要求信号を受信した場合において（ステップＳ１１６でＹＥＳ）、再送要求信号の受信回数の累計が閾値ＴＨ以上のときには（ステップＳ２２０でＹＥＳ）、いずれかのアップリンクサブフレームＵＬ内の少なくとも一部を、無線端末５１がＤＲＳを含む上りユーザデータを送信するための第３のリソースとして決定する。無線基地局２１のリソース通知部８は、決定した第３のリソースを表わす上りユーザデータ割当情報を送信する（ステップＳ２２２）。
【０１０８】
次に、無線端末５１のユーザデータ管理部５７は、第３のリソースを表わす上りユーザデータ割当情報を受信する（ステップＳ２２３）。
【０１０９】
次に、無線端末５１のユーザデータ管理部５７は、ステップＳ２２３で通知された第３のリソースによって、ＤＲＳを含む上りユーザデータを送信する（ステップＳ２２４）。
【０１１０】
次に、無線基地局２１の上りユーザデータ管理部１０は、ＤＲＳを含む上りユーザデータを受信する（ステップＳ２２５）。
【０１１１】
次に、無線基地局２１の伝送路状態推定部２９は、ステップＳ２２５で受信したＤＲＳに基づいて、無線端末５１との間の伝送路の状態を推定する。無線基地局２１のリソース決定部２７は、いずれかのダウンリンクサブフレームＤＬ内の少なくとも一部を無線端末５１への下りユーザデータを送信するための第１のリソースとして決定する。無線基地局２１の送信部４は、推定した伝送路の状態に基づいて複数のアンテナ２，３の指向性を形成して、第１のリソースを通じて再送要求された下りユーザデータ、およびこの第１のリソースに下りユーザデータが含まれることを表わす下りユーザ割当情報を送信する（ステップＳ２２６）。
【０１１２】
次に、無線端末５１の受信部５５は、複数のアンテナ５２，５３を通じて、下りユーザデータを受信して、ステップＳ１１４へ戻る（ステップＳ２２７）。
【０１１３】
以上のように、本発明の第２の実施形態の無線通信システムによれば、ＳＲＳの送信を終了後、無線端末において再送要求が発生した場合に、無線基地局は、最初のうちは、最後に受信したＳＲＳが現状の伝送路の状況をある程度表わしているので、これを用いる。無線基地局は、その後は、最後の受信したＳＲＳが現在の伝送路の状況を表わしていないの、ＳＲＳとは別の上りユーザデータに含まれるＤＲＳを用いる。これによって、迅速かつ正確に伝送路の状態を推定することができ、指向性を有する下りユーザデータを迅速かつ正確に再送することができる。
【０１１４】
［第２の実施形態の変形例］
（第２の実施形態の変形例の処理タイミング）
図１２は、第２の実施形態の変形例の処理タイミングを説明するための図である。
【０１１５】
図１２で示される処理が、図９と相違する点は、以下である。
図９では、無線基地局２１は、下りユーザデータを送信する前ごとに、第１のリソースを決定したが、図１２では、無線基地局２１は、下りユーザデータを周期的に同一の第１のリソースを用いて送信することとし、無線基地局２１は、最初に一度だけこの第１のリソースを決定して、無線端末５１へ通知する。
【０１１６】
すなわち、図１２に示すように、無線基地局２１は、所定のダウンリンクサブフレームＤＬ以降において下りユーザデータを周期的に送信する第１のリソースと、下りユーザデータの送信先の無線端末５１において、ＳＲＳを周期的に送信する第２のリソースとを決定する（（１）に示す）。そして、無線基地局２１は、決定した第１のリソースを表わす下りユーザデータ割当情報を送信する（（２）に示す）。
【０１１７】
図１２におけるその他の手順は、図９のものと同じである。
［第３の実施形態］
図１３は、本発明の第３の実施形態の無線基地局の構成を表わす図である。
【０１１８】
図１３の無線基地局３１の構成が、図２の無線基地局１の構成と相違する点は、リソース決定部３７と、伝送路状態推定部３９と、端末速度識別部３２である。
【０１１９】
端末速度識別部３２は、通信中の無線端末５１の受信応答ベクトルを算出する。端末速度識別部３０は、無線端末５１の時間的に前後する２つ以上の受信応答ベクトルの相関値を算出することによって、無線端末５１のドップラー周波数ＦＤを推定する。さらに、端末速度識別部３０は、ドップラー周波数に比例する値として無線端末５１の移動速度を算出する。より詳細な、移動速度の算出原理については、たとえば、特開２００３−３２１６７号公報を参照されたい。
【０１２０】
リソース決定部３７は、下りユーザデータ管理部６がネットワーク通信部１１から下りユーザデータを受けると、いずれかのダウンリンクサブフレーム内の少なくとも一部を、無線端末への下りユーザデータを送信する第１のリソースとして決定する。また、リソース決定部３７は、切替サブフレーム内のＵｐＰＴＳ（アップリンクパート）の一部を無線端末がＳＲＳを周期的に送信する第２のリソースとして決定する。リソース決定部３７は、無線端末から再送要求信号を受信した場合に、無線端末５１の移動速度が所定値Ｒ以上のときには、受信した再送要求信号の累計が閾値ＴＨ１以上となったとき、また、無線端末５１の移動速度が所定値Ｒ未満のときには、受信した再送要求信号の累計が閾値ＴＨ２以上となったときに、、いずれかのアップリンクサブフレームＵＬ内の少なくとも一部を、無線端末がＤＲＳを含む上りユーザデータを送信するための第３のリソースとして決定する。ここで、閾値ＴＨ１は、閾値ＴＨ２よりも小さな値である。これは、無線端末の移動速度が早い場合には、伝送路の状態が変化するため、古いＳＲＳの信頼度が低いことを考慮したものである。
【０１２１】
伝送路状態推定部３９は、ＳＲＳまたはＤＲＳに基づいての伝送路状態を推定する。伝送路状態推定部３９は、ＳＲＳの送信区間では、受信した最新のＳＲＳに基づいて、無線端末との間の伝送路の状態を推定する。
【０１２２】
伝送路状態推定部３９は、ＳＲＳの送信が停止された後、再送要求信号を受信したときには、無線端末５１の移動速度が所定値Ｒ以上であるときには、受信した再送要求信号の累計が閾値ＴＨ１未満のときには、最後に受信したＳＲＳに基づいて、無線端末５１との間の伝送路の状態を推定し、受信した再送要求信号の累計が閾値ＴＨ１以上のときには、無線端末５１から受信する上りユーザデータに含まれるＤＲＳに基づいて、無線端末５１との間の伝送路の状態を推定する。伝送路状態推定部３９は、ＳＲＳの送信が停止された後、再送要求信号を受信したときには、無線端末５１の移動速度が所定値Ｒ未満であるときには、受信した再送要求信号の累計が閾値ＴＨ２未満のときには、最後に受信したＳＲＳに基づいて、無線端末との間の伝送路の状態を推定し、受信した再送要求信号の累計が閾値ＴＨ２以上のときには、無線端末５１から受信する上りユーザデータに含まれるＤＲＳに基づいて、無線端末５１との間の伝送路の状態を推定する。
【０１２３】
（動作手順）
図１４および図１５は、本発明の第３の実施形態の無線通信システムの動作手順を表わすフローチャートである。
【０１２４】
図１４および図１５を参照して、まず、無線基地局３１のリソース決定部３７は、切替サブフレームＳのＵｐＰＴＳ内のいずれかのリソースを、無線端末５１がＳＲＳを周期的に送信する第２のリソースとして決定する（ステップＳ１０１）。
【０１２５】
次に、無線基地局３１のリソース通知部８は、決定した第２のリソースを表わすＲＲＣ接続再設定（送信開始を表わす）メッセージを送信する（ステップＳ１０２）。
【０１２６】
次に、無線端末５１のサウンディング信号管理部５８は、ＲＲＣ接続再設定（送信開始を表わす）メッセージを受信する（ステップＳ１０３）。
【０１２７】
次に、無線端末５１のサウンディング信号管理部５８は、ＲＲＣ接続再設定（送信開始を表わす）完了メッセージを送信する（ステップＳ１０４）。
【０１２８】
次に、無線基地局３１のリソース通知部８は、ＲＲＣ接続再設定（送信開始を表わす）完了メッセージを受信する（ステップＳ１０５）。
【０１２９】
次に、無線端末５１のサウンディング信号管理部５８は、通知された第２のリソースによってＳＲＳを送信する（ステップＳ１０６）。
【０１３０】
次に、無線基地局３１のＳＲＳ管理部１３は、ＳＲＳを受信する（ステップＳ１０７）。
【０１３１】
次に、無線基地局３１の伝送路状態推定部３９は、ステップＳ１０７で受信したＳＲＳに基づいて、無線端末５１との間の伝送路の状態を推定する。無線基地局３１のリソース決定部３７は、いずれかのダウンリンクサブフレームＤＬ内の少なくとも一部を無線端末５１への下りユーザデータを送信するための第１のリソースとして決定する。無線基地局３１の送信部４は、推定した伝送路の状態に基づいて、複数のアンテナ２，３の指向性を形成して、第１のリソースを通じて、下りユーザデータ、およびこの第１のリソースに下りユーザデータが含まれることを表わす下りユーザ割当情報を送信する（ステップＳ１０８）。
【０１３２】
次に、無線端末５１の受信部５５は、複数のアンテナ５２，５３を通じて、下りユーザデータを受信する（ステップＳ１０９）。
【０１３３】
以下、ステップＳ１０６〜Ｓ１０９の処理が繰り返される。
次に、無線基地局３１のリソース通知部８は、ＲＲＣ接続再設定（送信終了を表わす）メッセージを送信する（ステップＳ１１０）。
【０１３４】
次に、無線端末５１のサウンディング信号管理部５８は、ＲＲＣ接続再設定（送信終了を表わす）メッセージを受信する（ステップＳ１１１）。
【０１３５】
次に、無線端末５１のサウンディング信号管理部５８は、ＲＲＣ接続再設定（送信終了を表わす）完了メッセージを送信する（ステップＳ１１２）。
【０１３６】
次に、無線基地局３１のリソース通知部８は、ＲＲＣ接続再設定（送信終了を表わす）完了メッセージを受信する（ステップＳ１１３）。
【０１３７】
無線端末５１のユーザデータ管理部５７は、受信した下りユーザデータにエラーが検出された場合には（ステップＳ１１４でＹＥＳ）、ＨＡＲＱに基づいて、再送要求信号（NACK： Negative ACKnowledgments、否定応答)を送信する（ステップＳ１１５）。
【０１３８】
次に、無線基地局３１の伝送路状態推定部３９は、再送要求信号を受信した場合において（ステップＳ１１６でＹＥＳ）、端末速度識別部３０で算出された無線端末５１の移動速度が所定値Ｒ以上であって（ステップＳ３２０でＹＥＳ）、再送要求信号の受信回数の累計が閾値ＴＨ１未満のとき（ステップＳ３２１でＮＯ）、または、無線端末５１の移動速度が所定値Ｒ未満であって（ステップＳ３２０でＮＯ）、再送要求信号の受信回数の累計が閾値ＴＨ２未満のときには（ステップＳ３２２でＮＯ）、、最後に受信したＳＲＳに基づいて、無線端末５１との間の伝送路の状態を推定する。無線基地局３１のリソース決定部３７は、いずれかのダウンリンクサブフレームＤＬ内の少なくとも一部を無線端末５１への下りユーザデータを送信するための第１のリソースとして決定する。無線基地局３１の送信部４は、推定した伝送路の状態に基づいて、複数のアンテナ２，３の指向性を形成して、第１のリソースを通じて、再送要求された下りユーザデータ、およびこの第１のリソースに下りユーザデータが含まれることを表わす下りユーザ割当情報を送信する（ステップＳ３２３）。
【０１３９】
一方、無線基地局３１のリソース決定部３７は、再送要求信号を受信した場合において（ステップＳ１１６でＹＥＳ）、無線端末５１の移動速度が所定値Ｒ以上であって（ステップＳ３２０でＹＥＳ）、再送要求信号の受信回数の累計が閾値ＴＨ１以上のとき（ステップＳ３２１でＹＥＳ）、または、無線端末５１の移動速度が所定値Ｒ未満であって（ステップＳ３２０でＮＯ）、再送要求信号の受信回数の累計が閾値ＴＨ２以上のときには（ステップＳ３２２でＹＥＳ）、いずれかのアップリンクサブフレームＵＬ内の少なくとも一部を、無線端末５１がＤＲＳを含む上りユーザデータを送信するための第３のリソースとして決定する。無線基地局３１のリソース通知部８は、決定した第３のリソースを表わす上りユーザデータ割当情報を送信する（ステップＳ３２４）。
【０１４０】
次に、無線端末５１のユーザデータ管理部５７は、第３のリソースを表わす上りユーザデータ割当情報を受信する（ステップＳ３２５）。
【０１４１】
次に、無線端末５１のユーザデータ管理部５７は、ステップＳ３２５で通知された第３のリソースによって、ＤＲＳを含む上りユーザデータを送信する（ステップＳ３２６）。
【０１４２】
次に、無線基地局３１の上りユーザデータ管理部１０は、ＤＲＳを含む上りユーザデータを受信する（ステップＳ３２７）。
【０１４３】
次に、無線基地局３１の伝送路状態推定部３９は、ステップＳ３２７で受信したＤＲＳに基づいて、無線端末５１との間の伝送路の状態を推定する。無線基地局３１のリソース決定部３７は、いずれかのダウンリンクサブフレームＤＬ内の少なくとも一部を無線端末５１への下りユーザデータを第１のリソースとして決定する。無線基地局３１の送信部４は、推定した伝送路の状態に基づいて、複数のアンテナ２，３の指向性を形成して、第１のリソースを通じて再送要求された下りユーザデータ、およびこの第１のリソースに下りユーザデータが含まれることを表わす下りユーザ割当情報を送信する（ステップＳ３２８）。
【０１４４】
次に、無線端末５１の受信部５５は、複数のアンテナ５２，５３を通じて、下りユーザデータを受信して、ステップＳ１１４へ戻る（ステップＳ３２９）。
【０１４５】
以上のように、本発明の第３の実施形態の無線通信システムによれば、ＳＲＳの送信を終了後、無線端末において再送要求が発生した場合に、無線基地局は、最初のうちは、最後に受信したＳＲＳが現状の伝送路の状況をある程度表わしているので、これを用いる。無線基地局は、その後は、最後に受信したＳＲＳが現在の伝送路の状況を表わしていないの、ＳＲＳとは別の上りユーザデータに含まれるＤＲＳを用いる。これによって、第２の実施形態と同様に、迅速かつ正確に伝送路の状態を推定することができ、指向性を有する下りユーザデータを迅速かつ正確に再送することができる。さらに、無線端末の移動速度に応じて、最後に受信したＳＲＳを用いる期間を変えることによって、無線端末の移動速度に応じて、最後に受信したＳＲＳの信頼度が変化することにも対応することができる。
【０１４６】
（変形例）
本発明は、上記の実施形態に限定されるものではなく、たとえば以下のような変形例も含む。
【０１４７】
（１）  ＤＲＳ
本発明の実施形態では、無線基地局が、無線端末がＤＳＲを含む上りユーザデータを送信する第３のリソースを決定して、その無線端末に第３のリソースを通知することとしたが、これに限定するものではない。無線基地局が、すでにその無線端末から上りユーザデータを受信している場合には、その上りユーザデータに含まれるＤＲＳを伝送路状態の推定に用いることができるので、新たに第３のリソースを決定する必要はない。
【０１４８】
（２）  ＳＲＳ
本発明の実施形態では、リソース決定部は、切替サブフレーム内のＵｐＰＴＳ（アップリンクパート）の一部を無線端末がＳＲＳを周期的に送信する第２のリソースとして決定したが、これに限定するものではない。たとえば、リソース決定部は、切替サブフレーム内のＵｐＰＴＳ（アップリンクパート）の全部を無線端末がＳＲＳを周期的に送信する第２のリソースとして決定することとしてもよい。また、リソース決定部は、切替サブフレーム内のまたはアップリンクサブフレームＵＬの一部（たとえば、最後のシンボル）を無線端末がＳＲＳを周期的に送信する第２のリソースとして決定することとしてもよい。
【０１４９】
（３）  下りユーザデータ
図５および図９では、下りユーザデータが送信されるリソースは、ハーフフレーム単位ごとに同じダウンリンクサブフレームが用いられるものとして示してあるが、これは一例である。図５および図９では、複数のダウンリンクサブフレームＤＬおよび切替サブフレームＳのＤｗＰＴＳのうちのいずれに第１のリソースを割り当てててもよい。
【０１５０】
（４）  上りユーザデータ割当情報および上りユーザデータ
図５、７、９、１２では、上りユーザデータ割当情報を、アップリンクから切替わった後の最初のダウンリンクサブフレームＤＬで送信することとしたが、これに限定するものではない。上りユーザデータ割当情報を送信するのに、複数のダウンリンクサブフレームＤＬおよび切替サブフレームＳのＤｗＰＴＳのうちのいずれを用いてもよい。
【０１５１】
また、上りユーザデータ割当情報に基づいて送信される上りユーザデータも、複数のアップリンクサブフレームＵＬのうちのいずれを用いてもよい。
【０１５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５３】
１，２１，３１  無線基地局、２，３，５２，５３  アンテナ、４，５４  送信部、５，５５  受信部、６  下りユーザデータ管理部、７，２７，３７  リソース決定部、８  リソース通知部、９，２９，３９  伝送路状態推定部、１０  上りユーザデータ管理部、１１  ネットワーク通信部、１２  ネットワーク、１３  ＳＲＳ管理部、３２  端末速度識別部、５１  無線端末、５７  ユーザデータ管理部、５８  サウンディング信号管理部。
【図１】
0005718597.tif 000002
【図２】
0005718597.tif 000003
【図３】
0005718597.tif 000004
【図４】
0005718597.tif 000005
【図５】
0005718597.tif 000006
【図６】
0005718597.tif 000007
【図７】
0005718597.tif 000008
【図８】
0005718597.tif 000009
【図９】
0005718597.tif 000010
【図１０】
0005718597.tif 000011
【図１１】
0005718597.tif 000012
【図１２】
0005718597.tif 000013
【図１３】
0005718597.tif 000014
【図１４】
0005718597.tif 000015
【図１５】
0005718597.tif 000016